(57)【特許請求の範囲】
【請求項１】
移動端末から発信された発着信履歴要求を電話番号情報再生サーバが受信し、この発着信履歴要求にもとづいて料金システムから通話履歴情報を抽出する電話番号情報再生システムであって、
抽出した前記通話履歴情報にもとづいて発着信履歴メールを作成し、前記移動端末に送信する前記電話番号情報再生サーバと、
前記発着信履歴メールにもとづいて自己の発着信履歴の更新を行う前記移動端末を有する
ことを特徴とする電話番号情報再生システム。
【請求項２】
前記移動端末が、前記更新された発着信履歴にもとづいて、前記移動端末の有する電話帳の更新を行うことを特徴とする請求項１記載の電話番号情報再生システム。
【請求項３】
移動端末から発信された発着信履歴要求を電話番号情報再生サーバが受信し、この発着信履歴要求にもとづいて料金システムから通話履歴情報を抽出する電話番号情報再生システムであって、
抽出した前記通話履歴情報にもとづいて発着信履歴メールを作成し、前記移動端末に送信する前記電話番号情報再生サーバと、
前記発着信履歴メールにもとづいて自己の電話帳の更新を行う前記移動端末を有する
ことを特徴とする電話番号情報再生システム。
【請求項４】
移動端末から発信された発着信履歴要求を電話番号情報再生サーバが受信し、この発着信履歴要求にもとづいてメールサーバから通信履歴情報を抽出する電話番号情報再生システムであって、
抽出した前記通信履歴情報にもとづいて発着信履歴メールを作成し、前記移動端末に発信する前記電話番号情報再生サーバと、
前記発着信履歴メールにもとづいて自己の電話帳の更新を行う前記移動端末を有する
ことを特徴とする電話番号情報再生システム。
【請求項５】
電話番号情報再生サーバから発着信履歴メールを受信して、発着信履歴を更新する電話番号情報再生型移動端末であって、
履歴更新手段及び発着信履歴記憶部を有し、
前記電話番号情報再生サーバに発着信履歴要求を発信して、この電話番号情報再生サーバにより料金システムから抽出された通話履歴情報にもとづき作成された前記発着信履歴メールを受信すると、
前記履歴更新手段が前記発着信履歴メールにもとづいて、前記発着信履歴記憶部を更新する
ことを特徴とする電話番号情報再生型移動端末。
【請求項６】
電話帳更新手段及び電話帳記憶部を有する前記電話番号情報再生型移動端末であって、
前記電話帳更新手段が、前記発着信履歴記憶部に保存されている発着信履歴にもとづいて、前記電話帳記憶部を更新する
ことを特徴とする請求項５記載の電話番号情報再生型移動端末。
【請求項７】
電話番号情報再生サーバから発着信履歴メールを受信して、電話帳を更新する電話番号情報再生型移動端末であって、
電話帳更新手段及び電話帳記憶部を有し、
前記電話番号情報再生サーバに発着信履歴要求を発信して、この電話番号情報再生サーバにより料金システムから抽出された通話履歴情報にもとづき作成された前記発着信履歴メールを受信すると、
前記電話帳更新手段が前記発着信履歴メールにもとづいて、前記電話帳記憶部を更新する
ことを特徴とする電話番号情報再生型移動端末。
【請求項８】
誤受信防止手段を有する前記電話番号情報再生型移動端末であって、
前記誤受信防止手段が、
前記発着信履歴要求を前記電話番号情報再生サーバへ送信する際に、タイマーをスタートし、
前記電話番号情報再生サーバから前記発着信履歴メールを受信する際に、このタイマーを確認し、カウント中でない場合は、前記発着信履歴メールを破棄することを特徴とする請求項５〜７のいずれかに記載の電話番号情報再生型移動端末。
【請求項９】
誤受信防止手段を有し、かつ、パスワードを記憶する前記電話番号情報再生型移動端末であって、
前記誤受信防止手段が、
前記電話番号情報再生サーバから前記発着信履歴メールを受信する際に、この発着信履歴メールが有するパスワードを確認し、このパスワードが前記記憶されたパスワードと一致しない場合は、前記発着信履歴メールを破棄する
ことを特徴とする請求項５〜７のいずれかに記載の電話番号情報再生型移動端末。
【請求項１０】
移動端末からの要求に応じて、料金システムから通話履歴情報を抽出し、発着信履歴メールを作成して前記移動端末に送信する電話番号情報再生サーバであって、
前記移動端末から受信した発着信履歴要求にもとづいて、前記料金システムから前記通話履歴情報を抽出する履歴抽出手段と、
抽出した前記通話履歴情報にもとづいて、前記移動端末の発着信履歴又は電話帳の更新用の発着信履歴メールを作成するメール編集手段を有する
ことを特徴とする電話番号情報再生サーバ。
【請求項１１】
電話番号情報再生サーバにより作成される発着信履歴メールにもとづき、移動端末の発着信履歴を更新する電話番号情報再生方法であって、
前記移動端末が、前記電話番号情報再生サーバに発着信履歴要求を発信し、
前記電話番号情報再生サーバが、送信されてきた前記発着信履歴要求にもとづいて、料金システムから通話履歴情報を抽出するとともに、この通話履歴情報にもとづき発着信履歴メールを作成して前記移動端末に送信し、
前記移動端末が、受信した前記発着信履歴メールにもとづいて自己の発着信履歴を更新する
ことを特徴とする電話番号情報再生方法。
【請求項１２】
前記移動端末が、前記更新された発着信履歴にもとづいて、前記移動端末の有する電話帳を更新することを特徴とする請求項１１記載の電話番号情報再生方法。
【請求項１３】
電話番号情報再生サーバにより作成される発着信履歴メールにもとづき、移動端末の電話帳を更新する電話番号情報再生方法であって、
前記移動端末が、前記電話番号情報再生サーバに発着信履歴要求を発信し、
前記電話番号情報再生サーバが、送信されてきた前記発着信履歴要求にもとづいて、料金システムから通話履歴情報を抽出するとともに、この通話履歴情報にもとづき発着信履歴メールを作成して前記移動端末に送信し、
前記移動端末が、受信した前記発着信履歴メールにもとづいて自己の電話帳を更新する
ことを特徴とする電話番号情報再生方法。
【請求項１４】
前記移動端末が、
前記発着信履歴要求を前記電話番号情報再生サーバへ送信する際に、タイマーをスタートし、
前記電話番号情報再生サーバから前記発着信履歴メールを受信する際に、このタイマーを確認し、カウント中でない場合は、前記発着信履歴メールを破棄することを特徴とする請求項１１〜１３のいずれかに記載の電話番号情報再生方法。
【請求項１５】
前記移動端末が、パスワードを記憶し、
前記電話番号情報再生サーバから前記発着信履歴メールを受信する際に、この発着信履歴メールが有するパスワードを確認し、このパスワードが前記記憶されたパスワードと一致しない場合は、前記発着信履歴メールを破棄する
ことを特徴とする請求項１１〜１３のいずれかに記載の電話番号情報再生方法。
【発明の詳細な説明】
【０００１】
【発明の属する技術分野】
本発明は、移動端末の紛失等により、電話番号情報を消失した場合に、料金システムが保有する通話履歴情報にもとづいて発着信履歴メールを作成し、これを別個の移動端末で受信することによって電話番号情報を再生する電話番号情報再生システム、電話番号情報再生型移動端末、電話番号情報再生サーバ及び電話番号情報再生方法に関する。
【０００２】
【従来の技術】
近年、携帯電話機などの移動端末が、広く一般に普及するとともに、その機能は急速に発達し、紙ベースの電話帳を利用することなく、移動端末において、電話帳などの電話番号情報を管理することが十分可能になってきている。
このような状況にあって、携帯電話機を交換した場合や、何らかの事情により電話番号情報を消失した場合等に、既に一度入力したデータを再度入力する手間を省くためのシステムなどが提案されている。
【０００３】
例えば、特開２００１−２１６２２３号公報には、周期的に携帯端末のデータをアップロードし、サーバでバックアップを取るシステムが開示されている。
また、特開２０００−２７０３７６号公報には、携帯電話機を紛失した場合に、携帯電話機への呼接続によりデータのアップロードを行うとともに、その携帯電話機のデータを消去して、第三者による悪用を防止し、携帯電話機が戻った場合に、データを復元するシステム等が開示されている。
【０００４】
【発明が解決しようとする課題】
しかしながら、前者における電話番号情報の再生は、事前にバックアップを行うことが前提であり、バックアップを取っていない携帯電話機の電話番号情報を再生することはできなかった。
また、後者においては、紛失した携帯電話機が通話可能状態であることが必要であり、携帯電話機が通話圏内にない場合や、電源が切られている場合等には、データの再生を行うことはできなかった。
【０００５】
すなわち、従来のシステム等では、携帯電話機などを紛失し、新たに別個の携帯電話機を使用する際に、事前にバックアップ等を取っていない場合には、電話番号情報を自動再生することができなかった。
特に、携帯電話機などの移動端末のみによって電話帳管理を行う者が、移動端末を紛失した場合、その移動端末が戻ってこなければ電話帳のデータを再生するためのすべがなくなるという重大な問題があった。
【０００６】
本発明は、上記の事情にかんがみなされたものであり、事前に電話番号情報のバックアップを取っていない移動端末を紛失し、別個の移動端末を利用する場合でも、電話番号情報を再生することができる電話番号情報再生システム、電話番号情報再生型移動端末、電話番号情報再生サーバ及び電話番号情報再生方法の提供を目的とする。
【０００７】
【課題を解決するための手段】
上記目的を達成するため、本発明の請求項１記載の電話番号情報再生システムは、移動端末から発信された発着信履歴要求を電話番号情報再生サーバが受信し、この発着信履歴要求にもとづいて料金システムから通話履歴情報を抽出する電話番号情報再生システムであって、抽出した通話履歴情報にもとづいて発着信履歴メールを作成し、移動端末に送信する電話番号情報再生サーバと、発着信履歴メールにもとづいて自己の発着信履歴の更新を行う移動端末を有する構成としてある。
【０００８】
電話番号情報再生システムをこのような構成にすれば、携帯電話機などの移動端末の利用者（以下、単に利用者と称する。）は、電話番号情報などのデータのバックアップを取っていない移動端末を紛失し、別個の移動端末を利用する場合であっても、発着信履歴を再生することができる。
これは、電話番号情報再生サーバが、料金システムから通話履歴情報を抽出して、移動端末の発着履歴を再生するための発着信履歴メールを作成し、これを移動端末に送信することにより実現される。
このように、移動端末の発着信履歴を再生すれば、この履歴情報にもとづいてリダイアル等を行うことが可能となる。
【０００９】
本発明の請求項２記載の電話番号情報再生システムは、移動端末が、更新された発着信履歴にもとづいて、移動端末の有する電話帳の更新を行う構成としてある。
【００１０】
電話番号情報再生システムをこのような構成にすれば、再生された発着信履歴にもとづいて、移動端末の電話帳も再生することが可能となる。
従来、電話帳を移動端末にて管理している利用者が、そのデータのバックアップを取ることなく移動端末を紛失することは、データの再生手段がないため、利用者にとって極めて深刻な問題であった。
しかしながら、本発明によって、そのデータを再生し、電話帳を復活させることができるため、利用者はこのような深刻な状況から救われることとなる。
【００１１】
本発明の請求項３記載の電話番号情報再生システムは、移動端末から発信された発着信履歴要求を電話番号情報再生サーバが受信し、この発着信履歴要求にもとづいて料金システムから通話履歴情報を抽出する電話番号情報再生システムであって、抽出した通話履歴情報にもとづいて発着信履歴メールを作成し、移動端末に送信する電話番号情報再生サーバと、発着信履歴メールにもとづいて自己の電話帳の更新を行う移動端末を有する構成としてある。
【００１２】
電話番号情報再生システムをこのような構成にすれば、移動端末は、電話番号情報再生サーバから受信した発着信履歴メールにより、直接電話帳を再生することが可能となる。
【００１３】
本発明の請求項４記載の電話番号情報再生システムは、移動端末から発信された発着信履歴要求を電話番号情報再生サーバが受信し、この発着信履歴要求にもとづいてメールサーバから通信履歴情報を抽出する電話番号情報再生システムであって、抽出した通信履歴情報にもとづいて発着信履歴メールを作成し、移動端末に発信する電話番号情報再生サーバと、発着信履歴メールにもとづいて自己の電話帳の更新を行う移動端末を有する構成としてある。
【００１４】
電話番号情報再生システムをこのような構成にすれば、上述のように移動端末を紛失したような場合に、電話番号のみならず、電子メールのアドレスを再生することも可能となる。
なお、本発明における電話帳とは、氏名、電話番号、メールアドレス等の情報を管理するものである。
【００１５】
本発明の請求項５記載の電話番号情報再生型移動端末は、電話番号情報再生サーバから発着信履歴メールを受信して、発着信履歴を更新する電話番号情報再生型移動端末であって、履歴更新手段及び発着信履歴記憶部を有し、電話番号情報再生サーバに発着信履歴要求を発信して、この電話番号情報再生サーバにより作成された発着信履歴メールを受信すると、履歴更新手段が発着信履歴メールにもとづいて、発着信履歴記憶部を更新する構成としてある。
【００１６】
電話番号情報再生型移動端末をこのような構成にすれば、移動端末の利用者が、データのバックアップを取ることなく、万一その移動端末を紛失しても、本発明の電話番号情報再生型移動端末を用いれば、発着信履歴を再生することが可能となる。
【００１７】
本発明の請求項６記載の電話番号情報再生型移動端末は、電話帳更新手段及び電話帳記憶部を有する電話番号情報再生型移動端末であって、電話帳更新手段が、発着信履歴記憶部に保存されている発着信履歴にもとづいて、電話帳記憶部を更新する構成としてある。
電話番号情報再生型移動端末をこのような構成にすれば、発着信履歴のみならず、この再生した発着信履歴にもとづいて電話帳を再生することも可能となる。
【００１８】
本発明の請求項７記載の電話番号情報再生型移動端末は、電話番号情報再生サーバから発着信履歴メールを受信して、電話帳を更新する電話番号情報再生型移動端末であって、電話帳更新手段及び電話帳記憶部を有し、電話番号情報再生サーバに発着信履歴要求を発信して、この電話番号情報再生サーバにより作成された発着信履歴メールを受信すると、電話帳更新手段が発着信履歴メールにもとづいて、電話帳記憶部を更新する構成としてある。
電話番号情報再生型移動端末をこのような構成にすれば、電話帳の再生を、発着信履歴メールにもとづき、直接再生することが可能となる。
【００１９】
本発明の請求項８記載の電話番号情報再生型移動端末は、誤受信防止手段を有する電話番号情報再生型移動端末であって、誤受信防止手段が、発着信履歴要求を電話番号情報再生サーバへ送信する際に、タイマーをスタートし、電話番号情報再生サーバから発着信履歴メールを受信する際に、このタイマーを確認し、カウント中でない場合は、発着信履歴メールを破棄する構成としてある。
【００２０】
電話番号情報再生型移動端末をこのような構成にすれば、発着信履歴メールを受信する際に、その受信が正しいものであるかどうかを判断することができる。これにより、例えば、発着信履歴要求を行っていないにも拘わらず、悪意の第三者により、発着信履歴又は電話帳の自動更新を行う発着信履歴メールが送信された場合に、その受信を防止することが可能となる。
【００２１】
本発明の請求項９記載の電話番号情報再生型移動端末は、誤受信防止手段を有し、かつ、パスワードを記憶する電話番号情報再生型移動端末であって、誤受信防止手段が、電話番号情報再生サーバから発着信履歴メールを受信する際に、この発着信履歴メールが有するパスワードを確認し、このパスワードが記憶されたパスワードと一致しない場合は、発着信履歴メールを破棄する構成としてある。
【００２２】
電話番号情報再生型移動端末をこのような構成にすれば、万一悪意の第三者によって、発着信履歴又は電話帳の自動更新を行う発着信履歴メールが送信された場合に、これを排除することが可能となる。
【００２３】
本発明の請求項１０記載の電話番号情報再生サーバは、移動端末からの要求に応じて、料金システムから通話履歴情報を抽出し、発着信履歴メールを作成して移動端末に送信する電話番号情報再生サーバであって、移動端末から受信した発着信履歴要求にもとづいて、料金システムから通話履歴情報を抽出する履歴抽出手段と、抽出した通話履歴情報にもとづいて、発着信履歴メールを作成するメール編集手段を有する構成としてある。
【００２４】
電話番号情報再生サーバをこのような構成にすれば、料金システムが有する情報にもとづいて、移動端末ごとの発着信履歴及び電話帳を再生させることが可能となる。
これによって、事前に移動端末の電話帳等のバックアップを取ることなく、移動端末の電話番号情報を再生することが可能となる。
【００２５】
本発明の請求項１１記載の電話番号情報再生方法は、電話番号情報再生サーバにより作成される発着信履歴メールにもとづき、移動端末の発着信履歴を更新する電話番号情報再生方法であって、移動端末が、電話番号情報再生サーバに発着信履歴要求を発信し、電話番号情報再生サーバが、送信されてきた発着信履歴要求にもとづいて、料金システムから通話履歴情報を抽出するとともに、この通話履歴情報にもとづき発着信履歴メールを作成して移動端末に送信し、移動端末が、受信した発着信履歴メールにもとづいて自己の発着信履歴を更新する方法としてある。
【００２６】
電話番号情報再生方法をこのような方法にすれば、利用者は、電話帳データなどのバックアップを事前に取らずに移動端末を紛失しても、別個の移動端末を用い、電話帳データなどを再入力することなく、料金システムに記録された通話履歴情報にもとづいて、自動で発着信履歴を再生させることが可能となる。
【００２７】
本発明の請求項１２記載の電話番号情報再生方法は、移動端末が、更新された発着信履歴にもとづいて、移動端末の有する電話帳を更新する方法としてある。電話番号情報再生方法をこのような方法にすれば、移動端末は、再生した発着信履歴を用いて、電話帳も再生することができる。
【００２８】
本発明の請求項１３記載の電話番号情報再生方法は、電話番号情報再生サーバにより作成される発着信履歴メールにもとづき、移動端末の電話帳を更新する電話番号情報再生方法であって、移動端末が、電話番号情報再生サーバに発着信履歴要求を発信し、電話番号情報再生サーバが、送信されてきた発着信履歴要求にもとづいて、料金システムから通話履歴情報を抽出するとともに、この通話履歴情報にもとづき発着信履歴メールを作成して移動端末に送信し、移動端末が、受信した発着信履歴メールにもとづいて自己の電話帳を更新する方法としてある。
【００２９】
電話番号情報再生方法をこのような方法にすれば、移動端末は、電話番号情報再生サーバによって作成される発着信履歴メールにもとづいて、直接電話帳の再生を行うことができる。
【００３０】
本発明の請求項１４記載の電話番号情報再生方法は、移動端末が、発着信履歴要求を電話番号情報再生サーバへ送信する際に、タイマーをスタートし、電話番号情報再生サーバから発着信履歴メールを受信する際に、このタイマーを確認し、カウント中でない場合は、発着信履歴メールを破棄する方法としてある。
【００３１】
電話番号情報再生方法をこのような方法にすれば、移動端末の発着信履歴メールの受信に際し、誤受信を防止することが可能となる。そして、万一第三者による悪意の発着信履歴メール発信があったとしても、これを排除することが可能となる。
【００３２】
本発明の請求項１５記載の電話番号情報再生方法は、移動端末が、パスワードを記憶し、電話番号情報再生サーバから発着信履歴メールを受信する際に、この発着信履歴メールが有するパスワードを確認し、このパスワードが記憶されたパスワードと一致しない場合は、発着信履歴メールを破棄する方法としてある。
電話番号情報再生方法をこのような方法にすれば、移動端末の発着信履歴メールの受信に際し、誤受信を防止することが可能となる。
【００３３】
【発明の実施の形態】
以下、本発明の実施形態につき、図面を参照して説明する。
［第一実施形態］
まず、本発明の第一実施形態について、図１、図２及び図３を参照して説明する。図１は、本実施形態における電話番号情報再生システムの構成を示すブロック図であり、図２、図３は、順にこの電話番号情報再生システムにおける電話番号情報再生型移動端末、電話番号情報再生サーバの構成を示すブロック図である。
【００３４】
図１に示すように、電話番号情報再生システムは、電話番号情報再生型移動端末１０、無線基地局２０、移動体通信交換機３０、メールサーバ４０、電話番号情報再生サーバ５０及び料金システム６０を有している。
【００３５】
電話番号情報再生型移動端末１０は、発着信履歴及び電話帳を再生することのできる移動端末であり、図２に示すように、入力部１１、送受信部１２、発着信履歴記憶部１３、履歴更新手段１４、電話帳記憶部１５、電話帳更新手段１６、誤受信防止手段１７、タイマー１８、表示部１９を有している。
【００３６】
入力部１１は、利用者による発着信履歴要求を入力する。そして、送受信部１２は、この入力された発着信履歴要求を発信する。
発着信履歴記憶部１３は、電話番号情報再生型移動端末１０の発信及び着信の履歴情報を記憶するものである。
履歴更新手段１４は、電話番号情報再生サーバ５０から受信した発着信履歴メールにもとづいて、発着信履歴記憶部１３を更新する。発着信履歴メール自体にこの処理プログラムをもたせる場合は、履歴更新手段１４を省略してもよい。
【００３７】
電話帳記憶部１５は、電話番号情報再生型移動端末１０の電話帳データを記憶するものである。
電話帳更新手段１６は、発着信履歴メール又は発着信履歴記憶部１３に保存されている発着信履歴情報にもとづいて電話帳記憶部１５を更新する。
【００３８】
この更新にあたり、発着信履歴メールを用いるか、あるいは発着信履歴記憶部１３の発着信履歴情報を用いるかは、電話番号情報再生サーバ５０における発着信履歴メール作成の詳細などと関連して、適宜設計することができる。
また、電話帳更新手段１６は、発着信履歴メールが電話番号の発着信履歴を保有する場合は、電話帳の電話番号を更新し、発着信履歴メールがメールアドレスを保有する場合は、電話帳のメールアドレスを更新する。
【００３９】
誤受信防止手段１７は、利用者に発着信履歴記憶部１３又は電話帳記憶部１５を更新する意志がないにも拘わらず、故障や悪意等により、電話番号情報再生サーバ５０などから発着信履歴メールが発信された場合に、その受信を防止するためのものである。
この手段としては、発着信履歴要求の発信の際に、タイマー１８をスタートさせ、このタイマー１８がカウント中の場合にのみ発着信履歴メールを受信可能とすることが挙げられる。
【００４０】
万一、カウント中でない場合に、電話番号情報再生型移動端末１０へ発着信履歴メールが送信されたときは、そのメールは自動的に破棄される。
このタイマー１８のカウントは、発着信履歴要求の発信から発着信履歴メールを受信するまでの時間として十分な所定の時間、例えば、１０分間のみ行われる。
【００４１】
また、発着信履歴メールにパスワード情報を設定することにより、誤受信防止手段１７は、このパスワードと、電話番号情報再生型移動端末１０に事前に保存したパスワードを照合して、タイマー１８を用いることなく誤受信防止を行うこともできる。
表示部１９は、発着信履歴や電話帳の情報等を表示するためのディスプレイモニタである。
【００４２】
無線基地局２０は、電話番号情報再生型移動端末１０の発信を受信し、これを移動体通信交換機３０に送信するものである。
また、移動体通信交換機３０は、電話網に接続されており、電話番号情報再生型移動端末１０から発信された通話要求にもとづいて、電話番号情報再生型移動端末１０を発信先に接続する。
そして、通話時間や、通話先等の通話状況データを料金システム６０に送るとともに、メールはメールサーバ４０に送信する。
また、移動体通信交換機３０は、電話番号情報再生型移動端末１０から発着信履歴要求が発信された場合には、これを電話番号情報再生サーバ５０に送信する。
【００４３】
メールサーバ４０は、パケット網に接続され、移動体通信交換機３０などの交換機から送信されるメールを保存するとともに、これらの交換機の要求に応じて、保存しているメールを交換機に送信する。
また、メールサーバ４０は、電話番号情報再生サーバ５０の要求に応じて、所定のメールアドレスのメール通信履歴情報を、電話番号情報再生サーバ５０に送信する。
【００４４】
電話番号情報再生サーバ５０は、電話番号情報再生型移動端末１０から無線基地局２０、移動体通信交換機３０を経由して送信されてきた発着信履歴要求を受信し、料金システム６０から通話履歴情報を抽出する。
そして、この通話履歴情報にもとづいて、電話番号情報再生型移動端末１０の発着信履歴又は電話帳を再生するための発着信履歴メールを作成する。
また、メールアドレスを再生するために、メールサーバ４０からメールの通信履歴情報を抽出することもできる。
【００４５】
次に、この各構成について詳細に説明すると、図３に示すように、電話番号情報再生サーバ５０は、送受信部５１、履歴抽出手段５２、メール編集手段５３及び記憶部５４を有している。
送受信部５１は、移動体通信交換機３０及び無線基地局２０を介して、電話番号情報再生型移動端末１０と情報の送受信を行う。すなわち、発着信履歴要求を電話番号情報再生型移動端末１０から受信し、発着信履歴メールを電話番号情報再生型移動端末１０へ送信する。
また、送受信部５１は、記憶装置６２、長期保存用記憶装置６３及びメールサーバ４０との情報の送受信も行う。すなわち、これらから通話履歴情報等を受信する。
【００４６】
履歴抽出手段５２は、記憶装置６２及び長期保存用記憶装置６３から通話履歴情報を、メールサーバ４０から通信履歴情報を抽出する。
メール編集手段５３は、この抽出された通話履歴情報又は通信履歴情報にもとづいて、発着信履歴メールを作成する。
記憶部５４は、抽出された通話履歴情報等や、作成された発着信履歴メールを記憶するものである。
【００４７】
料金システム６０は、移動端末などによる通話料金等の請求処理を行うための既存のシステムである。この料金システム６０は、料金処理装置６１、記憶装置６２及び長期保存用記憶装置６３を有する。
料金処理装置６１は、移動体通信交換機３０から受信した通話状況情報を記憶装置６２に保存し、この保存情報にもとづいて月ごとの料金請求処理等を行う。記憶装置６２は、上記のように保存された月ごとの料金請求のために必要な通話履歴情報等を有している。
そして、長期保存用記憶装置６３は、例えば、６ヶ月分など、数ヶ月分の通話履歴情報等を有している。
【００４８】
次に、第一実施形態の電話番号情報再生システムにおける処理手順について、図４を参照して説明する。
同図は、本実施形態の電話番号情報再生システムにおける処理手順を示す動作手順図である。
【００４９】
まず、電話番号情報再生型移動端末１０（移動端末１０）が、発着信履歴メールをダウンロードするために、発着信履歴要求を発信する（ステップ１０）。
この発着信履歴要求の発信は、電話番号情報再生を行うために設定した所定のサービス番号へダイヤルすることにより行う。このサービス番号としては、例えば、携帯電話番号と同じく「０９０−ｘｘｘｘ−ｘｘｘｘ」などとすることができる。
また、この発信と同時に、タイマー１８をスタートさせる。
【００５０】
この電話番号情報再生型移動端末１０からの発信は、無線基地局２０を介して移動体通信交換機３０に送信され、移動体通信交換機３０は、サービス番号を識別することにより、この発信を発着信履歴要求であることを認識する。
そして、移動体通信交換機３０は、電話番号情報再生型移動端末１０の電話番号（以下、加入者番号と称する場合がある。）と、メールアドレスを電話番号情報再生サーバ５０へ送信することにより、発着信履歴の再生を指示する。
【００５１】
また、移動体通信交換機３０は、同サービスを受け付けた旨を音声ガイダンスにより、電話番号情報再生型移動端末１０に送信する（ステップ１１）。
この音声ガイダンスとしては、例えば、「電話帳（又は発着信履歴、電話番号情報等）ダウンロードサービスを受け付けました。電話を切ってお待ち下さい。」などとすることができる。
【００５２】
次に、電話番号情報再生サーバ５０は、料金システムの記憶装置６２及び長期保存用記憶装置６３へアクセスし、加入者番号にもとづいて通話履歴情報を抽出する。
このとき、記憶装置６２からは、未処理の料金データを抽出し（ステップ１２）、長期保存用記憶装置６３からは、過去６ヶ月分など、より古い通話履歴情報を抽出する（ステップ１３）。
なお、この通話履歴情報の抽出処理機能の一部を、料金システム側に保持させることも可能である。
【００５３】
さらに、電話番号情報再生サーバ５０は、抽出した通話履歴情報にもとづいて発着信履歴メールを作成する（ステップ１４）。
図５は、この発着信履歴メールのフォーマットを示す図である。
同図において、「Ｓｕｂ：Ｒｅｃｏｖｅｒ」は、このメールが、電話番号情報再生のためのメールであることを示している。
【００５４】
また、「Ｃｏｎｔｅｎｔ：」は、以下に本文が続くことを表し、発着信履歴データが、引き続き記載されている。
この本文内の「ＯＲ」は、以下に発信（Ｏｒｉｇｉｎａｔｉｏｎ）履歴が続くことを表し、「ＴＲ」は、以下に着信（Ｔｅｒｍｉｎａｔｉｏｎ）履歴が続くことを表している。「ｅｎｄ」は、データの終了であることを示している。
【００５５】
次に、電話番号情報再生サーバ５０は、作成した発着信履歴メールを電話番号情報再生型移動端末１０に送信する（ステップ１５）。
電話番号情報再生型移動端末１０は、この発着信履歴メールの受信にあたり、まず発着信履歴受信待ちタイマーが、カウント中であるか否かを確認する（ステップ１６）。
【００５６】
そして、このタイマーがカウント中でない場合には、そのメールを破棄する。このようにすることにより、電話番号情報再生を意図していない場合に、何らかの故障や悪意により、発着信履歴メールやこれと同等の機能をもつメールが送信され、電話番号情報が更新されることを防止することができる。
【００５７】
タイマーがカウント中である場合には、この発着信履歴メールの情報にもとづいて、電話番号情報再生型移動端末１０の発着信履歴が更新される（ステップ１７）。
この更新は、電話番号情報再生型移動端末１０の履歴更新手段１４によって行うことができる。
【００５８】
その方法としては、ＣｏｎｔｅｎｔのＯＲから発信履歴を取り出し、この情報にもとづいて、電話番号情報再生型移動端末１０の発信履歴テーブルを更新することができる。
また、着信履歴についても同様に、ＴＲから着信履歴を取り出し、この情報にもとづいて、電話番号情報再生型移動端末１０の着信履歴テーブルを更新することができる。
さらに、このような更新を、図５の発着信履歴メールに更新プログラムも併せて記載することによって行うこともできる。この場合、電話番号情報再生型移動端末１０の履歴更新手段１４を省略することができる。
【００５９】
そして、上記のような更新は、いずれの場合であっても、メールの着信と同時に、利用者の操作を必要とすることなく実行させることが可能である。
また、例えば、ファンクションキーを押すことなどによって、更新を実行させることとし、電話番号情報再生を実行するか否かの判断を、最後まで留保させるようにすることもできる。
【００６０】
このようにして電話番号情報再生型移動端末１０の発着信履歴が更新され、再生されると、この発着信履歴を用いて電話をかけることが可能となる。
したがって、携帯電話機などの移動端末を紛失し、かつ他に電話帳や電話番号記録のバックアップ等を有していない利用者は、この発着信履歴の再生までの機能のみによっても、極めて高い効果を享受することが可能となる。
【００６１】
さらに、電話番号情報再生型移動端末１０は、再生した発着信履歴にもとづいて電話帳を作成することができる（ステップ１８）。この電話帳の作成は、電話帳更新手段１６に行わせることができる。
また、発着信履歴メールに電話帳更新プログラムを記載し、発着信履歴の更新に併せて、電話帳の更新も行うようにすることができる。
【００６２】
また、この電話帳の更新も、メールの着信と同時に、利用者による操作を必要とせず、自動的に実行させることも、利用者によるファンクションキーの押下などによって、実行させるようにすることもできる。
利用者によるファンクションキーの押下などによって、実行させる場合には、利用者は、発信履歴、着信履歴の内容を確認し、電話帳への登録が不要なものを削除してから、電話帳の更新を実行することができる。
【００６３】
また、発着信履歴メールのデータが、図５におけるようなものである場合には、再生した電話帳の電話番号に対応する相手の名前（名称欄）は、空白のままである。
利用者は、電話番号情報再生型移動端末１０の電話帳の変更機能を用いて、手入力により、電話番号に対応する相手の名前を入力し、電話帳を編集して完成させる（ステップ１９）。
【００６４】
なお、本実施形態からステップ１７を省略し、発着信履歴の更新を行うことなく、発着信履歴メールにもとづいて直接電話帳の作成を行うことも可能である。
このように、発着信履歴の更新に拘わらず、電話帳の作成が可能であることは、以下の実施形態においても同様である。
さらに、ステップ１２及びステップ１３において、料金システムから、各発着信履歴の電話番号に対応する加入者の名称情報を抽出し、図５の発着信履歴メールにこの名称情報をもたせることにより、電話帳の名称欄も自動的に再生されるように設計変更することもできる。
【００６５】
［第二実施形態］
次に、本発明の第二実施形態につき、図６を参照して説明する。同図は、本実施形態の電話番号情報再生システムの処理手順を示す動作手順図である。
本実施形態は、第一実施形態と比較して、発着信履歴メールの誤受信防止を、タイマーではなく、パスワードにより行う点で相違する。
他の構成要素は第一実施形態と同様であり、本実施形態のシステム構成は、電話番号情報再生型移動端末１０からタイマー１８を除いた点以外は、図１、図２及び図３に示すブロック図と同様である。
【００６６】
本実施形態の各動作（ステップ２０〜ステップ２９）は、第一実施形態の動作（ステップ１０〜ステップ１９）のそれぞれに対応するものである。そして、発着信履歴メールの誤受信防止に関する機能のみ異なるものである。
したがって、以下においては、第一実施形態と異なる動作についてのみ説明する。
【００６７】
まず、電話番号情報再生型移動端末１０が、発着信履歴メールをダウンロードするために、発着信履歴要求を発信する（ステップ２０）。このとき、本実施形態においては、タイマーのスタートは行わない。
そして、この要求が電話番号情報再生サーバ５０に伝えられて、記憶装置６２及び長期保存用記憶装置６３から通話履歴情報が抽出され、ステップ２４において、発着信履歴メールの作成が行われる。
【００６８】
この発着信履歴メールの作成において、電話番号情報再生サーバ５０は、対応する電話番号情報再生型移動端末１０のパスワードを発着信履歴メールに記載する。
このため、誤受信防止にあたり、パスワードを利用する場合には、電話番号情報再生型移動端末１０から、電話番号情報再生サーバ５０へ事前にパスワードを登録する必要がある。
【００６９】
電話番号情報再生型移動端末１０は、電話番号情報再生サーバ５０から送信された発着信履歴メールを受信するに際し、そのパスワードが自身の保有するパスワードと一致するか否かを確信し、もし一致していない場合には、その発着信履歴メールを破棄する。
【００７０】
このような誤受信防止を行うことにより、タイマーを用いることなく、発着信履歴などが誤って更新されることを防止することが可能となる。
なお、第一実施形態と第二実施形態を組合せ、誤受信防止をタイマーとパスワードの両方により行うこともできる。このようにすれば、誤受信の危険性をさらに低減させることができる。
【００７１】
［第三実施形態］
次に、本発明の第三実施形態につき、図７を参照して説明する。同図は、本実施形態の電話番号情報再生システムの処理手順を示す動作手順図である。
本実施形態は、第二実施形態と比較して、電話番号情報再生サーバ５０が、記憶装置６２及び長期保存用記憶装置６３から通話履歴を抽出するのではなく、メールサーバ４０から通信履歴情報を抽出する点で相違する。
【００７２】
すなわち、本実施形態においては、図１の料金システム６０を用いる必要はないが、その他の構成については第二実施形態と同様である。
また、本実施形態においては、図２の電話番号情報再生型移動端末１０のタイマー１８を用いてはいないが、これを用いて第一実施形態の誤受信防止を併用し、この機能を強化することも好ましい。
【００７３】
まず、電話番号情報再生型移動端末１０が、発着信履歴要求を発信する動作と、移動体通信交換機３０が電話番号情報再生型移動端末１０に受付通知を返信する動作（ステップ３０、ステップ３１）については、第二実施形態における動作（ステップ２０、ステップ２１）と同様である。
【００７４】
次に、電話番号情報再生サーバ５０は、メールサーバ４０から通信履歴情報を抽出する（ステップ３２）。この場合の通信履歴情報は、メールアドレスにより構成される。
したがって、ステップ３３で作成される発着信履歴メールについても、図５における電話番号に換えてメールアドレスが記載される。
【００７５】
そして、電話番号情報再生サーバ５０から電話番号情報再生型移動端末１０へ、この発着信履歴メールが送信され（ステップ３４）、電話番号情報再生型移動端末１０によるパスワード確認が行われた後（ステップ３５）、電話帳作成が実行される（ステップ３６）。
【００７６】
この電話帳の作成は、発着信履歴メールにもとづいて行われる。また、その方法は、第一実施形態において上述したものと同様の方法を用いることができる。そして、メールアドレスに対応する相手の名称などを手入力により入力して電話帳を編集し、完成させる（ステップ３７）。名称の自動入力についても、第一実施形態と同様の方法を用いることができる。
【００７７】
また、上記各実施形態を適宜組合せ、各実施形態の効果を融合させることも可能である。例えば、第二実施形態と第三実施形態を組合せ、電話番号情報再生システムにおいて、電話帳の電話番号とメールアドレスの両方を再生させるようにすることもできる。
【００７８】
さらに、上記各実施形態において、発着信履歴メールは、発着信履歴要求の発信後、一旦通信を切断し、発着信履歴メール到着の連絡を待って、再度接続を行って受信することを想定しているが、通信を切断することなく、通話状態のまま、発着信履歴メールの作成を待ってこれを受信するようにすることも可能である。
【００７９】
なお、本発明は以上の実施形態に限定されるものではなく、例えば、電話番号情報再生サーバ５０の各機能を料金システム等の既存のシステムにもたせることにより、専用サーバを不要とするなど、適宜設計変更できるものである。
【００８０】
【発明の効果】
以上のように、本発明によれば、携帯電話機などの移動端末を紛失し、しかも他に電話帳を保有しておらず、電話帳データのバックアップを取っていないような場合であっても、既存の料金システムから通話履歴情報を抽出することにより、別個の移動端末を用いて、発着信履歴や電話帳を再生させることができる。
上記のような状況においては、従来の技術では、移動端末の利用者が電話帳を再生することは非常に困難であり、利用者は極めて深刻な事態に直面することが多かったが、本発明によって、事前に特別な準備をすることなく、誰でも容易に電話帳等のデータを再生することが可能となる。
【図面の簡単な説明】
【図１】  本発明の各実施形態の電話番号情報再生システムの構成を示すブロック図である。
【図２】  本発明の各実施形態の電話番号情報再生型移動端末の構成を示すブロック図である。
【図３】  本発明の各実施形態の電話番号情報再生サーバの構成を示すブロック図である。
【図４】  本発明の第一実施形態の電話番号情報再生システムの処理手順を示す動作手順図である。
【図５】  本発明の第一実施形態の発着信履歴フォーマットを示す図である。
【図６】  本発明の第二実施形態の電話番号情報再生システムの処理手順を示す動作手順図である。
【図７】  本発明の第三実施形態の電話番号情報再生システムの処理手順を示す動作手順図である。
【符号の説明】
１０  電話番号情報再生型移動端末（移動端末）
１１  入力部
１２  送受信部
１３  発着信履歴記憶部
１４  履歴更新手段
１５  電話帳記憶部
１６  電話帳更新手段
１７  誤受信防止手段
１８  タイマー
１９  表示部
２０  無線基地局
３０  移動体通信交換機
４０  メールサーバ
５０  電話番号情報再生サーバ
５１  送受信部
５２  履歴抽出手段
５３  メール編集手段
５４  記憶部
６０  料金システム
６１  料金処理装置
６２  記憶装置
６３  長期保存用記憶装置
【図１】
0003741036.tif 000002
【図２】
0003741036.tif 000003
【図３】
0003741036.tif 000004
【図４】
0003741036.tif 000005
【図５】
0003741036.tif 000006
【図６】
0003741036.tif 000007
【図７】
0003741036.tif 000008